(57)【要約】【課題】鉢植えが、生産者から消費者にわたるまで損傷せず、輸送コストが低廉で、販売店での梱包作業を省略でき、経済性の向上を図ることのできる鉢植えの輸送箱を提供する。【解決手段】筒体１１に頂壁１２を設けて構成し、その頂壁１２に、鉢植え１の鉢２が上から挿入され、鉢２の上部を突出させた状態で外周面が接する挿入開口部１３を形成した挿入台１０と、筒部材２１に蓋部材２２と底壁部材２５を設けて構成し、内部に挿入台１０と鉢植え１の組付き物を収納し、筒部材２１に窓部２３を形成した外装箱２０とを備え、挿入台１０の挿入開口部１３を挟んだ箇所に、鉢２の上端に鉢植え１を固定するために掛け渡したゴムバンド３０の両端部を掛止する掛止部１４を、少なくとも一対設け、外装箱２０に、挿入台１０に組付いて外装箱２０に固定する固定片２４を設ける。【選択図】      図１
2005313921.tif 000002
【特許請求の範囲】
【請求項１】
鉢植え（１）を収納して輸送する輸送箱であって、筒体（１１）に頂壁（１２）を設けて構成し，該頂壁に，前記鉢植えの鉢（２）が上から挿入され，該鉢の上部を突出させた状態で外周面が接する挿入開口部（１３）を形成した挿入台（１０）と、筒部材（２１）に蓋部材（２２）と底壁部材（２５）を設けて構成し，内部に前記挿入台と鉢植えの組付き物を収納し，前記筒部材に，前記鉢植えを外から視覚するための窓部（２３）を形成した外装箱（２０）とを備え、前記挿入台の前記挿入開口部を挟んだ箇所に，前記鉢の上端に前記鉢植えを前記挿入台に固定するために掛け渡したゴムバンド（３０）の両端部を掛止する掛止部（１４）を，少なくとも一対設け、前記外装箱に，前記挿入台に組付いて，該挿入台を前記外装箱に固定する固定片（２４）を設けてなる鉢植え輸送箱。
【請求項２】
鉢植え（１）を収納して輸送する輸送箱であって、筒体（１１）に頂壁（１２）を設けて構成し，該頂壁に，前記鉢植えの鉢（２）が上から挿入され，該鉢の上部を突出させた状態で外周面が接する挿入開口部（１３）を形成した挿入台（１０）と、筒部材（２１）に蓋部材（２２）と底壁部材（２５）を設けて構成し，内部に前記挿入台と鉢植えの組付き物を収納し，前記筒部材に，前記鉢植えを外から視覚するための窓部（２３）を形成した外装箱（２０）とを備え、前記挿入台の前記挿入開口部を挟んだ箇所に，前記鉢の上端に前記鉢植えを前記挿入台に固定するために掛け渡したゴムバンド（３０）の両端部を掛止する掛止部（１４）を，少なくとも一対設け、前記外装箱に，前記挿入台に組付いて，該挿入台を前記外装箱に固定する固定片（２４）を設け、前記固定片（２４）を，前記筒部材から横設され，前記挿入台の上端部に形成された係止孔部（１５）に密に嵌入して組付く第一固定片（２４ａ）と，前記挿入台の上面に係止して組付く第二固定片（２４ｂ）とで構成してなる鉢植え輸送箱。
【請求項３】
挿入台（１０）および外装箱（２０）を、使い捨て可能なダンボールなどの紙製とし、掛止部（１４）および固定片（２４）を、前記挿入台および外装箱の一部を折返して形成してなる鉢植え輸送箱。
【発明の詳細な説明】
【技術分野】
【０００１】
本発明は、鉢植え植物（「以下、「鉢植え」と言う）を損傷させることなく輸送することのできる輸送箱に関するものである。
【背景技術】
【０００２】
従来、蘭などの鉢植えが生産者から消費者にわたるまでには、（１）生産者が複数の鉢植えを一つの梱包箱に装着して販売店まで輸送し、（２）販売店では、その鉢植えを梱包箱から取出して店頭に陳列し、（３）消費者が購入した鉢植えを再度、新たな梱包箱に入れ、鉢植えが転倒しないように、その回りに詰め物を詰めて手渡すといった過程を必要としている。
【発明の開示】
【発明が解決しようとする課題】
【０００３】
しかし、こうした従来の手法では、次のような問題がある。
（甲）生産者から販売店まで、あるいは販売店から消費者の元まで輸送する際に、鉢植えが転倒したり、梱包箱から飛び出したり、あるいは花弁等が梱包箱に接触するなどして、植物が損傷し易い。
（乙）鉢植えが蘭などの傷みやすいものである場合には、特殊車両によって生産者から販売店まで輸送する必要があるので、輸送コストが嵩む。
（丙）販売店で、生産者から輸送されてきた鉢植えを取出して陳列した後、消費者が購入した際、再度、梱包する必要があるので、作業が厄介である。また、作業者の熟練度によって梱包の良否が発生し、梱包が悪い場合には植物が損傷し易い。
（丁）生産者および販売店は、輸送中における植物の損傷を考慮して、常に余分の鉢植えを揃えておく必要があるため、非経済的である。
【０００４】
本発明はこうした問題に鑑み創案されたもので、鉢植えが、生産者から消費者にわたるまで損傷せず、輸送コストが低廉であり、販売店での梱包作業を省略でき、さらに、経済性の向上を図ることのできる鉢植えの輸送箱を提供することを課題とする。
【課題を解決するための手段】
【０００５】
図１乃至図４を参照して説明する。請求項１に記載の発明は、鉢植え１を収納して輸送する輸送箱であって、筒体１１に頂壁１２を設けて構成し、その頂壁１２に、前記鉢植え１の鉢２が上から挿入され、当該鉢２の上部を突出させた状態で外周面が接する挿入開口部１３を形成した挿入台１０と、筒部材２１に蓋部材２２と底壁部材２５を設けて構成し、内部に前記挿入台１０と鉢植え１の組付き物を収納し、前記筒部材２１に、前記鉢植え１を外から視覚するための窓部２３を形成した外装箱２０とを備え、前記挿入台１０の前記挿入開口部１３を挟んだ箇所に、前記鉢２の上端に前記鉢植え１を前記挿入台１０に固定するために掛け渡したゴムバンド３０の両端部を掛止する掛止部１４を、少なくとも一対設け、前記外装箱２０に、前記挿入台１０に組付いて、当該挿入台１０を前記外装箱２０に固定する固定片２４を設けてなるものである。
【０００６】
請求項２に記載の鉢植え輸送箱は、鉢植え１を収納して輸送する輸送箱であって、筒体１１に頂壁１２を設けて構成し、その頂壁１２に、前記鉢植え１の鉢２が上から挿入され、当該鉢２の上部を突出させた状態で外周面が接する挿入開口部１３を形成した挿入台１０と、筒部材２１に蓋部材２２と底壁部材２５を設けて構成し、内部に前記挿入台１０と鉢植え１の組付き物を収納し、前記筒部材２１に、前記鉢植え１を外から視覚するための窓部２３を形成した外装箱２０とを備え、前記挿入台１０の前記挿入開口部１３を挟んだ箇所に、前記鉢２の上端に前記鉢植え１を前記挿入台１０に固定するために掛け渡したゴムバンド３０の両端部を掛止する掛止部１４を、少なくとも一対設け、前記外装箱２０に、前記挿入台１０に組付いて、当該挿入台１０を前記外装箱２０に固定する固定片２４を設け、前記固定片２４を、前記筒部材２１から横設され、前記挿入台１０の上端部に形成された係止孔部１５に密に嵌入して組付く第一固定片２４ａと、前記挿入台１０の上面に係止して組付く第二固定片２４ｂとで構成してなるものである。
【０００７】
請求項３に記載の発明は、請求項１または２に記載の発明において、挿入台１０および外装箱２０を、使い捨て可能なダンボールなどの紙製とし、掛止部１４および固定片２４を、前記挿入台１０および外装箱２０の一部を折返して形成してなるものである。
【発明の効果】
【０００８】
請求項１に記載の鉢植え輸送箱は、鉢植え１を挿入台１０にゴムバンド３０で固定し、その挿入台１０を外装箱２０に固定片２４で固定し、かつ、外装箱２０に鉢植え１を外から視覚するための窓部２３を形成したので、以下の効果を発揮する。
【０００９】
（イ）生産者から販売店まで、あるいは販売店から消費者の元まで輸送する際に、鉢植え１が転倒したり、挿入台１０や外装箱２０から飛び出したり、あるいは花弁等が梱包箱に接触するなどして、植物３が損傷することがない。
（ロ）鉢植え１が蘭などの傷みやすいものである場合でも、一般車両によって生産者から販売店まで輸送することができるので、輸送コストを削減することができる。
（ハ）販売店で、生産者から輸送されてきた鉢植え１を取出して陳列したり、消費者が購入した際、再度、梱包する必要がないので、そうした作業を省略することができる。従って、作業者の熟練度によって梱包の良否が発生し、梱包が悪い場合には植物３が損傷し易いといった問題が発生しない。
（ニ）鉢植え１の植物３が損傷しないので、生産者および販売店は、余分の鉢植え１を揃えておく必要がなく、経済性が向上する。
【００１０】
請求項２に記載の発明は、上記（イ）〜（ニ）に記載の効果を発揮すると共に、固定片２４を、第一固定片２４ａと第二固定片２４ｂとで構成したので、挿入台１０を外装箱２０により安定的に組付けることができる。従って、植物３の損傷をより未然に防止することができる。
【００１１】
請求項３に記載の発明は、請求項１および請求項２に記載の発明と同様の効果を発揮すると共に、挿入台１０および外装箱２０をダンボールなどの紙製とし、掛止部１４および固定片２４を挿入台１０および外装箱２０の一部を折返して形成したので、製造コストの低廉化を図ることができる。また、使い捨てもできるので使用性に優れる。
【発明を実施するための最良の形態】
【００１２】
本発明に係る鉢植え輸送箱の実施形態を、図１乃至図４に示す。この鉢植え輸送箱は、蘭などの鉢植え１を収納して輸送するものであり、ダンボールなどの紙製の挿入台１０および外装箱２０と、リング状のゴムバンド３０を備える。なお、ダンボール等の紙に代えて、プラスチックや木材などの他の材料で形成することもできる。
【００１３】
挿入台１０は、四角筒体１１の上端部に頂壁１２を設け、その頂壁１２に挿入開口部１３を形成して構成している。この挿入開口部１３は、鉢植え１の鉢２が上から挿入され、当該鉢２の上部を突出させた状態で外周面が接する大きさに設定される。なお、挿入台１０の底面に底壁を設けることもできる。
【００１４】
外装箱２０は、四角筒状の筒部材２１に蓋部材２２と底壁部材２５を設けて構成し、内部に挿入台１０と鉢植え１の組付き物を収納する大きさに設定している。また、筒部材２１の一部に、鉢植え１を外から視覚するための大径の窓部２３を形成している。この外装箱２０の底壁部材２５には、鉢２の底面を上載する。蓋部材２２は開閉自在であり、この蓋部材２２を開放することによって、鉢植え１と挿入台１０の組付き物を外装箱２０から出し入れする。
【００１５】
この外装箱２０には、挿入台１０に組付いて、当該挿入台１０を外装箱２０に固定する固定片２４を設けている。この固定片２４は、筒部材２１の対向する壁面に設けた第一固定片２４ａと、同一の壁面に設けた第二固定片２４ｂとで構成される。第一固定片２４ａは、外装箱２０の筒部材２１の一部に切込みを入れ、その切込み部分を折返して横設され、挿入台１０の上端部に形成されたスリット上の係止孔部１５に密に嵌入して組付く。また、第二固定片２４ｂは、同じく筒部材２１の一部を折返して横設され、挿入台１０の上面に係止して組付く。この外装箱２０の蓋部材２２には、持ち運びの際に把手として使用することのできる把持孔部２６を形成している。なお、符合Ｐは、切込みによって形成された切込開口部である。
【００１６】
なお、本実施形態における固定片２４は、上記した形状の第一固定片２４ａと第二固定片２４ｂとで構成したが、本発明はこうした構成に限定されるものではなく、挿入台１０を外装箱２０に固定する適宜の手段を含む。例えば、この固定片２４は、挿入台１０に設けることができるし、また、外装箱２０および挿入箱１０とは別体成形し、両者２０，１０間に組付けることもできる。
【００１７】
ゴムバンド３０は、鉢２の上端に掛け渡され、鉢植え１を挿入台１０に固定するためのものである。このゴムバンド３０の両端部は、挿入台１０の挿入開口部１３を挟んだ箇所に設けられた掛止部１４に掛止される。
【００１８】
なお、本実施形態では、掛止部１４を複数対（３対）設けており、植物３の太さや、花弁および葉の生育状況によって、それらを損傷させることがないように、適宜の掛止部１４を選択してゴムバンド３０を掛け渡すことができるようにしている。また、この掛止部１４は、挿入台１０の一部に切込みを入れて、切込み部分を折返して形成しているが、本発明はこれに限定されるものではなく、例えば、挿入台と別体成形することもできる。符合Ｐは、切込みによって形成された切込開口部である。
【００１９】
本実施形態における鉢植え輸送箱は、上記した構成としたので、鉢植え１を、生産者から販売店まで、あるいは販売店から消費者の元まで、植物３を損傷させることなく輸送することができる。また、鉢植え１が蘭などの傷み易いものである場合でも、特殊車両によらず、一般車両で輸送することができるので、輸送コストを大幅に削減することができる。
【００２０】
さらに、販売店で、生産者から輸送されてきた鉢植え１を取出して陳列したり、消費者が購入した際、再度、梱包する必要がないので、そうした作業を省略することができる。従って、作業者の熟練度によって梱包の良否が発生し、梱包が悪い場合には植物３が損傷し易いといった問題を解決することができる。また、鉢植え１の植物３が損傷しないので、生産者および販売店は、余分の鉢植え１を揃えておく必要がなく、経済性が向上する。
【図面の簡単な説明】
【００２１】
【図１】本発明に係る鉢植え輸送箱の実施形態を示す斜視図である。
【図２】図１に示す鉢植え輸送箱の分解斜視図である。
【図３】図１に示す鉢植え輸送箱のＡ−Ａ切断正面図である。
【図４】図１に示す鉢植え輸送箱のＢ−Ｂ切断右側面図である。
【符号の説明】
【００２２】
１        鉢植え
２        鉢
３        植物
１０      挿入台
１１      筒体
１２      頂壁
１３      挿入開口部
１４      掛止部
１５      係止孔部
２０      外装箱
２１      筒部材
２２      蓋部材
２３      窓部
２４      固定片
２４ａ    第一固定片
２４ｂ    第二固定片
２５      底壁部材
２６      把持孔部
３０      ゴムバンド
Ｐ        切込開口部
【図１】
2005313921.tif 000003
【図２】
2005313921.tif 000004
【図３】
2005313921.tif 000005
【図４】
2005313921.tif 000006